(57)【要約】【課題】再接続元無線基地局及び再接続先無線基地局で使用されているＲＲＣプロトコル機能のリリース番号が異なる場合であっても、ハンドオーバ処理の途中でＲＬＦが検出された際の再接続処理後の通信復旧時間を短縮することができる。【解決手段】本発明に係る移動通信方法は、無線基地局ｅＮＢ＃３が、受信した「ＲＲＣ  Ｃｏｎｎｅｃｔｉｏｎ  Ｒｅ-ｅｓｔａｂｌｉｓｈｍｅｎｔ  Ｒｅｑｕｅｓｔ」に含まれるＰＣＩによって特定されるセル＃１を管理する無線基地局ｅＮＢ＃１に対して、無線基地局ｅＮＢ＃３で使用されているＲＲＣプロトコル機能のリリース番号を含むコンテキスト情報転送要求信号を送信する工程と、無線基地局ｅＮＢ＃１が、無線基地局ｅＮＢ＃３に対して、受信したコンテキスト情報転送要求信号に含まれるリソース番号のＲＲＣプロトコル機能によって生成された移動局ＵＥに係るコンテキスト情報を転送する工程とを有する。【選択図】図４
2011166372.tif 000002
【特許請求の範囲】
【請求項１】
第１無線基地局配下の第１セルにおいて通信中の移動局が、第２無線基地局配下の第２セルへのハンドオーバ処理の途中で無線リンク障害を検出した場合に、第３無線基地局に対して、該第１セルの識別情報を含む再接続要求信号を送信する工程と、
前記第３無線基地局が、前記再接続要求信号に含まれる前記識別情報によって特定される前記第１セルを管理する第１無線基地局に対して、該第３無線基地局で使用されている所定プロトコル機能のリリース番号を含むコンテキスト情報転送要求信号を送信する工程と、
前記第１無線基地局が、前記第３無線基地局に対して、前記コンテキスト情報転送要求信号に含まれる前記リソース番号の前記所定プロトコル機能によって生成された前記移動局に係るコンテキスト情報を転送する工程とを有することを特徴とする移動通信方法。
【請求項２】
第１無線基地局配下の第１セルにおいて通信中の移動局が、第２無線基地局配下の第２セルへのハンドオーバ処理の途中で無線リンク障害を検出した場合に、第３無線基地局に対して再接続要求信号を送信するように構成されている移動通信システムにおいて、該第３無線基地局として動作可能な無線基地局であって、
前記移動局から、前記第１セルの識別情報を含む再接続要求信号を受信するように構成されている受信部と、
前記再接続要求信号に応じて、該再接続要求信号に含まれる前記識別情報によって特定される前記第１セルを管理する第１無線基地局に対して、前記無線基地局で使用されている所定プロトコル機能のリリース番号を含み、前記移動局に係るコンテキスト情報の転送を要求するコンテキスト情報転送要求信号を送信するように構成されている送信部と具備することを特徴とする無線基地局。
【請求項３】
第１無線基地局配下の第１セルにおいて通信中の移動局が、第２無線基地局配下の第２セルへのハンドオーバ処理の途中で無線リンク障害を検出した場合に、第３無線基地局に対して再接続要求信号を送信するように構成されている移動通信システムにおいて、該第１無線基地局として動作可能な無線基地局であって、
前記第３無線基地局から、該第３無線基地局で使用されている所定プロトコル機能のリリース番号を含むコンテキスト情報転送要求信号を受信するように構成されている受信部と、
前記第３無線基地局に対して、前記コンテキスト情報転送要求信号に含まれる前記リソース番号の前記所定プロトコル機能によって生成された前記移動局に係るコンテキスト情報を転送するように構成されている送信部とを具備することを特徴とする無線基地局。
【発明の詳細な説明】
【技術分野】
【０００１】
本発明は、移動通信方法及び無線基地局に関する。
【背景技術】
【０００２】
図５を参照して、ＬＴＥ（Ｌｏｎｇ  Ｔｅｒｍ  Ｅｖｏｌｕｔｉｏｎ）方式の移動通信システムにおいて、移動局ＵＥが、ハンドオーバ処理の途中でＲＬＦ（Ｒａｄｉｏ  Ｌｉｎｋ  Ｆａｉｌｕｒｅ、無線リンク障害）を検出した場合に、再接続（ＲＲＣ  Ｃｏｎｎｅｃｔｉｏｎ  Ｒｅ-ｅｓｔａｂｌｉｓｈｍｅｎｔ）処理後の通信復旧時間を短縮するための動作について説明する。
【０００３】
図５に示すように、ステップＳ２００１において、移動局ＵＥは、無線基地局ｅＮＢ＃１配下のセル＃１において通信中の移動局ＵＥが、無線基地局ｅＮＢ＃２配下のセル＃２へのハンドオーバ処理の途中でＲＬＦを検出し、再接続先セルとして無線基地局ｅＮＢ＃３配下のセル＃３を選択する。
【０００４】
ステップＳ２００２において、移動局ＵＥは、無線基地局ｅＮＢ＃３に対して、セル＃１のＰＣＩ（Ｐｈｙｓｉｃａｌ  Ｃｅｌｌ  ＩＤ）を含む「ＲＲＣ  Ｃｏｎｎｅｃｔｉｏｎ  Ｒｅ-ｅｓｔａｂｌｉｓｈｍｅｎｔ  Ｒｅｑｕｅｓｔ」を送信する。
【０００５】
ステップＳ２００３において、無線基地局ｅＮＢ＃３は、「ＲＲＣ  Ｃｏｎｎｅｃｔｉｏｎ  Ｒｅ-ｅｓｔａｂｌｉｓｈｍｅｎｔ  Ｒｅｑｕｅｓｔ」に含まれるＰＣＩによって特定されるセル＃１に対して、「ＵＥ  Ｃｏｎｔｅｘｔ」や「ＲＲＣ  Ｃｏｎｔｅｘｔ」等の移動局ＵＥに係るコンテキスト情報の転送を要求するコンテキスト情報転送要求信号（例えば、「ＵＥ  Ｃｏｎｔｅｘｔ  Ｉｎｑｕｉｒｙ  Ｒｅｑｕｅｓｔ」）を送信する。
【０００６】
ステップＳ２００４において、無線基地局ｅＮＢ＃１は、受信したコンテキスト情報転送要求信号に応じて、無線基地局ｅＮＢ＃３に対して、「ＵＥ  Ｃｏｎｔｅｘｔ」や「ＲＲＣ  Ｃｏｎｔｅｘｔ」等の移動局ＵＥに係るコンテキスト情報を含むコンテキスト情報転送信号（例えば、「ＵＥ  Ｃｏｎｔｅｘｔ  Ｒｅｓｐｏｎｓｅ」）を送信する。
【０００７】
ステップＳ２００５において、無線基地局ｅＮＢ＃３は、移動局ＵＥに対して、「ＲＲＣ  Ｃｏｎｎｅｃｔｉｏｎ  Ｒｅ-ｅｓｔａｂｌｉｓｈｍｅｎｔ」を送信する。
【０００８】
ステップＳ２００６において、移動局ＵＥが、無線基地局ｅＮＢ＃３に対して、「ＲＲＣ  Ｃｏｎｎｅｃｔｉｏｎ  Ｒｅ-ｅｓｔａｂｌｉｓｈｍｅｎｔ  Ｃｏｍｐｌｅｔｅ」を送信する。
【先行技術文献】
【非特許文献】
【０００９】
【非特許文献１】３ＧＰＰ  ＴＳＧ-ＲＡＮ  ＷＧ３、Ｒ３-１００２３９、「Ｅｎａｂｌｉｎｇ  ＵＥ-ｏｒｉｇｉｎａｔｅｄ  ＲＬＦ  ｒｅｐｏｒｔｉｎｇ  ｆｏｒ  ＳＯＮ  ＭＲＯ」、Ｎｏｋｉａ  Ｓｉｅｍｅｎｓ  Ｎｅｔｗｏｒｋｓ
【非特許文献２】３ＧＰＰ  ＴＳＧ-ＲＡＮ  ＷＧ３、Ｒ３-１００２４０、「Ａｄｄｉｔｉｏｎ  ｏｆ  ａ  ｄｅｓｃｒｉｐｔｉｏｎ  ｏｆ  ａ  ｐｒｏｃｅｄｕｒｅ  ｔｏ  ｆｅｔｃｈ  ＵＥ  ｃｏｎｔｅｘｔ」、Ｎｏｋｉａ  Ｓｉｅｍｅｎｓ  Ｎｅｔｗｏｒｋｓ
【非特許文献３】３ＧＰＰ  ＴＳＧ-ＲＡＮ  ＷＧ３、Ｒ３-１００２４１、「Ａ  ｐｒｏｃｅｄｕｒｅ  ｔｏ  ｆｅｔｃｈ  ＵＥ  ｃｏｎｔｅｘｔ  ｉｎ  ｃａｓｅ  ｏｆ  ｐｏｓｔ-ＲＬＦ  ＲＲＣ  ｒｅｅｓｔａｂｌｉｓｈｍｅｎｔ」、Ｎｏｋｉａ  Ｓｉｅｍｅｎｓ  Ｎｅｔｗｏｒｋｓ
【発明の概要】
【発明が解決しようとする課題】
【００１０】
しかしながら、上述の移動通信システムにおいて、無線基地局ｅＮＢ＃１で使用されているＲＲＣ（Ｒａｄｉｏ  Ｒｅｓｏｕｒｃｅ  Ｃｏｎｔｒｏｌ）プロトコル機能のリリース番号と無線基地局ｅＮＢ＃３で使用されているＲＲＣプロトコル機能のリリース番号とが異なる場合、無線基地局ｅＮＢ＃３が、無線基地局ｅＮＢ＃１から取得した移動局ＵＥに係るコンテキスト情報（特に、ＲＲＣ  Ｃｏｎｔｅｘｔ）を解釈することができない場合があるという問題点があった。
【００１１】
そこで、本発明は、上述の課題に鑑みてなされたものであり、再接続元無線基地局で使用されているＲＲＣプロトコル機能のリリース番号と再接続先無線基地局で使用されているＲＲＣプロトコル機能のリリース番号とが異なる場合であっても、ハンドオーバ処理の途中でＲＬＦが検出された際の再接続処理後の通信復旧時間を短縮することができる移動通信方法及び無線基地局を提供することを目的とする。
【課題を解決するための手段】
【００１２】
本発明の第１の特徴は、移動通信方法であって、第１無線基地局配下の第１セルにおいて通信中の移動局が、第２無線基地局配下の第２セルへのハンドオーバ処理の途中で無線リンク障害を検出した場合に、第３無線基地局に対して、該第１セルの識別情報を含む再接続要求信号を送信する工程と、前記第３無線基地局が、前記再接続要求信号に含まれる前記識別情報によって特定される前記第１セルを管理する第１無線基地局に対して、該第３無線基地局で使用されている所定プロトコル機能のリリース番号を含むコンテキスト情報転送要求信号を送信する工程と、前記第１無線基地局が、前記第３無線基地局に対して、前記コンテキスト情報転送要求信号に含まれる前記リソース番号の前記所定プロトコル機能によって生成された前記移動局に係るコンテキスト情報を転送する工程とを有することを要旨とする。
【００１３】
本発明の第２の特徴は、第１無線基地局配下の第１セルにおいて通信中の移動局が、第２無線基地局配下の第２セルへのハンドオーバ処理の途中で無線リンク障害を検出した場合に、第３無線基地局に対して再接続要求信号を送信するように構成されている移動通信システムにおいて、該第３無線基地局として動作可能な無線基地局であって、前記移動局から、前記第１セルの識別情報を含む再接続要求信号を受信するように構成されている受信部と、前記再接続要求信号に応じて、該再接続要求信号に含まれる前記識別情報によって特定される前記第１セルを管理する第１無線基地局に対して、前記無線基地局で使用されている所定プロトコル機能のリリース番号を含み、前記移動局に係るコンテキスト情報の転送を要求するコンテキスト情報転送要求信号を送信するように構成されている送信部と具備することを要旨とする。
【００１４】
本発明の第３の特徴は、第１無線基地局配下の第１セルにおいて通信中の移動局が、第２無線基地局配下の第２セルへのハンドオーバ処理の途中で無線リンク障害を検出した場合に、第３無線基地局に対して再接続要求信号を送信するように構成されている移動通信システムにおいて、該第１無線基地局として動作可能な無線基地局であって、前記第３無線基地局から、該第３無線基地局で使用されている所定プロトコル機能のリリース番号を含むコンテキスト情報転送要求信号を受信するように構成されている受信部と、前記第３無線基地局に対して、前記コンテキスト情報転送要求信号に含まれる前記リソース番号の前記所定プロトコル機能によって生成された前記移動局に係るコンテキスト情報を転送するように構成されている送信部とを具備することを要旨とする。
【発明の効果】
【００１５】
以上説明したように、本発明によれば、再接続元無線基地局で使用されているＲＲＣプロトコル機能のリリース番号と再接続先無線基地局で使用されているＲＲＣプロトコル機能のリリース番号とが異なる場合であっても、ハンドオーバ処理の途中でＲＬＦが検出された際の再接続処理後の通信復旧時間を短縮することができる移動通信方法及び無線基地局を提供することができる。
【図面の簡単な説明】
【００１６】
【図１】本発明の第１の実施形態に係る移動通信システムの全体構成図である。
【図２】本発明の第１の実施形態に係る無線基地局ｅＮＢ＃１の機能ブロック図である。
【図３】本発明の第１の実施形態に係る無線基地局ｅＮＢ＃３の機能ブロック図である。
【図４】本発明の第１の実施形態に係る移動通信システムの動作を示すシーケンス図である。
【図５】従来の移動通信システムの動作を示すシーケンス図である。
【発明を実施するための形態】
【００１７】
（本発明の第１の実施形態に係る移動通信システムの構成）
図１乃至図３を参照して、本発明の第１の実施形態に係る移動通信システムの構成について説明する。
【００１８】
図１に示すように、本実施形態に係る移動通信システムは、交換局ＭＭＥ（Ｍｏｂｉｌｉｔｙ  Ｍａｎａｇｅｍｅｎｔ  Ｅｎｔｉｔｙ）と、セル＃１を管理するＬＴＥ方式の無線基地局ｅＮＢ＃１と、セル＃２を管理するＬＴＥ方式の無線基地局ｅＮＢ＃２と、セル＃３を管理するＬＴＥ方式の無線基地局ｅＮＢ＃３とを具備している。
【００１９】
例えば、無線基地局ｅＮＢ＃１は、「Ｒｅｌｅａｓｅ  １０」で規定されたＲＲＣプロトコル機能を搭載するように構成されており、無線基地局ｅＮＢ＃２は、「Ｒｅｌｅａｓｅ  ９」で規定されたＲＲＣプロトコル機能を搭載するように構成されており、無線基地局ｅＮＢ＃３は、「Ｒｅｌｅａｓｅ  ８」で規定されたＲＲＣプロトコル機能を搭載するように構成されている。
【００２０】
また、図１の例では、無線基地局ｅＮＢ＃１と無線基地局ｅＮＢ＃２との間、無線基地局ｅＮＢ＃２と無線基地局ｅＮＢ＃３との間、及び、無線基地局ｅＮＢ＃１と無線基地局ｅＮＢ＃３との間で、Ｘ２コネクションが設定されるように構成されている。
【００２１】
また、図１の例では、交換局ＭＭＥと無線基地局ｅＮＢ＃１との間、交換局ＭＭＥと無線基地局ｅＮＢ＃２との間、及び、交換局ＭＭＥと無線基地局ｅＮＢ＃３との間で、Ｓ１コネクションが設定されるように構成されている。
【００２２】
以下、本実施形態では、無線基地局ｅＮＢ＃１配下のセル＃１（第１セル）において通信中の移動局ＵＥが、無線基地局ｅＮＢ＃２配下のセル＃２へのハンドオーバ処理の途中でＲＬＦを検出したケースを例に挙げて説明する。
【００２３】
図２に示すように、無線基地局ｅＮＢ＃１は、管理部１１と、受信部１２と、送信部１３とを具備している。
【００２４】
管理部１１は、無線基地局ｅＮＢ＃１に搭載されているＲＲＣプロトコル機能のリリース番号（例えば、「Ｒｅｌｅａｓｅ  １０」）を管理するように構成されている。
【００２５】
ここで、管理部１１は、無線基地局ｅＮＢ＃１の周辺無線基地局ｅＮＢに搭載されているＲＲＣプロトコル機能のリリース番号を管理するように構成されていてもよい。
【００２６】
受信部１２は、無線基地局ｅＮＢ＃３から、「ＵＥ  Ｃｏｎｔｅｘｔ  Ｉｎｑｕｉｒｙ  Ｒｅｑｕｅｓｔ」等のコンテキスト情報転送要求信号を受信するように構成されている。
【００２７】
送信部１３は、無線基地局ｅＮＢ＃３に対して、受信部１２によって受信されたコンテキスト情報転送要求信号に含まれるリソース番号（例えば、「Ｒｅｌｅａｓｅ  ８」）のＲＲＣプロトコル機能によって生成された移動局ＵＥに係るコンテキスト情報（例えば、「ＵＥ  Ｃｏｎｔｅｘｔ」や「ＲＲＣ  Ｃｏｎｔｅｘｔ」）を転送するように構成されている。
【００２８】
図３に示すように、無線基地局ｅＮＢ＃３は、管理部２１と、受信部２２と、送信部２３とを具備している。
【００２９】
管理部２１は、無線基地局ｅＮＢ＃３に搭載されているＲＲＣプロトコル機能のリリース番号（例えば、「Ｒｅｌｅａｓｅ  ８」）を管理するように構成されている。
【００３０】
ここで、管理部２１は、無線基地局ｅＮＢ＃３の周辺無線基地局ｅＮＢに搭載されているＲＲＣプロトコル機能のリリース番号を管理するように構成されていてもよい。
【００３１】
受信部２２は、移動局ＵＥから、セル＃１のＰＣＩを含む「ＲＲＣ  Ｃｏｎｎｅｃｔｉｏｎ  Ｒｅ-ｅｓｔａｂｌｉｓｈｍｅｎｔ  Ｒｅｑｕｅｓｔ」を受信するように構成されている。
【００３２】
また、受信部２２は、無線基地局ｅＮＢ＃１から、移動局ＵＥのコンテキスト情報（例えば、「ＵＥ  Ｃｏｎｔｅｘｔ」や「ＲＲＣ  Ｃｏｎｔｅｘｔ」）を含むコンテキスト情報転送信号（例えば、「ＵＥ  Ｃｏｎｔｅｘｔ  Ｒｅｓｐｏｎｓｅ」）を受信するように構成されている。
【００３３】
送信部２３は、受信部２２によって受信された「ＲＲＣ  Ｃｏｎｎｅｃｔｉｏｎ  Ｒｅ-ｅｓｔａｂｌｉｓｈｍｅｎｔ  Ｒｅｑｕｅｓｔ」に含まれるＰＣＩによって特定されるセル＃１を管理する無線基地局ｅＮＢ＃１に対して、無線基地局ｅＮＢ＃３で使用されているＲＲＣプロトコル機能のリリース番号（例えば、「Ｒｅｌｅａｓｅ  ８」）を含み、移動局ＵＥに係るコンテキスト情報（例えば、「ＵＥ  Ｃｏｎｔｅｘｔ」や「ＲＲＣ  Ｃｏｎｔｅｘｔ」）の転送を要求するコンテキスト情報転送要求信号（例えば、「ＵＥ  Ｃｏｎｔｅｘｔ  Ｉｎｑｕｉｒｙ  Ｒｅｑｕｅｓｔ」）を送信するように構成されている。
【００３４】
（本発明の第１の実施形態に係る移動通信システムの動作）
図４を参照して、本発明の第１の実施形態に係る移動通信システムの動作について説明する。
【００３５】
具体的には、図４を参照して、本実施形態に係る移動通信システムにおいて、移動局ＵＥが、ハンドオーバ処理の途中でＲＬＦを検出した場合の動作について説明する。
【００３６】
図４に示すように、ステップＳ１００１において、移動局ＵＥは、無線基地局ｅＮＢ＃１配下のセル＃１において通信中の移動局ＵＥが、無線基地局ｅＮＢ＃２配下のセル＃２へのハンドオーバ処理の途中でＲＬＦを検出し、再接続先セルとして無線基地局ｅＮＢ＃３配下のセル＃３を選択する。
【００３７】
ステップＳ１００２において、移動局ＵＥは、無線基地局ｅＮＢ＃３に対して、セル＃１のＰＣＩを含む「ＲＲＣ  Ｃｏｎｎｅｃｔｉｏｎ  Ｒｅ-ｅｓｔａｂｌｉｓｈｍｅｎｔ  Ｒｅｑｕｅｓｔ」を送信する。
【００３８】
ステップＳ１００３において、無線基地局ｅＮＢ＃３は、「ＲＲＣ  Ｃｏｎｎｅｃｔｉｏｎ  Ｒｅ-ｅｓｔａｂｌｉｓｈｍｅｎｔ  Ｒｅｑｕｅｓｔ」に含まれるＰＣＩによって特定されるセル＃１を管理する無線基地局ｅＮＢ＃１に対して、「ＵＥ  Ｃｏｎｔｅｘｔ」や「ＲＲＣ  Ｃｏｎｔｅｘｔ」等の移動局ＵＥに係るコンテキスト情報の転送を要求するコンテキスト情報転送要求信号（例えば、「ＵＥ  Ｃｏｎｔｅｘｔ  Ｉｎｑｕｉｒｙ  Ｒｅｑｕｅｓｔ」）を送信する。
【００３９】
ここで、無線基地局ｅＮＢ＃３は、コンテキスト情報転送要求信号に、無線基地局ｅＮＢ＃３で使用されているＲＲＣプロトコル機能のリリース番号（例えば、「Ｒｅｌｅａｓｅ  ８」）を含めて送信する。
【００４０】
ステップＳ１００４において、無線基地局ｅＮＢ＃１は、受信したコンテキスト情報転送要求信号に応じて、無線基地局ｅＮＢ＃３に対して、「ＵＥ  Ｃｏｎｔｅｘｔ」や「ＲＲＣ  Ｃｏｎｔｅｘｔ」等の移動局ＵＥに係るコンテキスト情報を含むコンテキスト情報転送信号（例えば、「ＵＥ  Ｃｏｎｔｅｘｔ  Ｒｅｓｐｏｎｓｅ」）を送信する。
【００４１】
ここで、無線基地局ｅＮＢ＃１は、コンテキスト情報転送要求信号に含まれるリリース番号のＲＲＣプロトコル機能によって、上述の移動局ＵＥに係るコンテキスト情報（特に、「ＲＲＣ  Ｃｏｎｔｅｘｔ」）を生成する。
【００４２】
ステップＳ１００５において、無線基地局ｅＮＢ＃３は、移動局ＵＥに対して、「ＲＲＣ  Ｃｏｎｎｅｃｔｉｏｎ  Ｒｅ-ｅｓｔａｂｌｉｓｈｍｅｎｔ」を送信する。
【００４３】
ステップＳ１００６において、移動局ＵＥが、無線基地局ｅＮＢ＃３に対して、「ＲＲＣ  Ｃｏｎｎｅｃｔｉｏｎ  Ｒｅ-ｅｓｔａｂｌｉｓｈｍｅｎｔ  Ｃｏｍｐｌｅｔｅ」を送信する。
【００４４】
（本発明の第１の実施形態に係る移動通信システムの作用効果）
本実施形態に係る移動通信システムによれば、無線基地局ｅＮＢ＃３が、移動局ＵＥからの「ＲＲＣ  Ｃｏｎｎｅｃｔｉｏｎ  Ｒｅ-ｅｓｔａｂｌｉｓｈｍｅｎｔ  Ｒｅｑｕｅｓｔ」に応じて、無線基地局ｅＮＢ＃１に対して、無線基地局ｅＮＢ＃３で使用されているＲＲＣプロトコル機能のリリース番号を含むコンテキスト情報転送要求信号を送信し、無線基地局ｅＮＢ＃１が、かかるリリース番号のＲＲＣプロトコル機能によって、無線基地局ｅＮＢ＃３に転送すべき移動局ＵＥに係るコンテキスト情報を生成するように構成されているため、無線基地局ｅＮＢ＃１（再接続元無線基地局）及び無線基地局ｅＮＢ＃３（再接続先無線基地局）で使用されているＲＲＣプロトコル機能のリリース番号が異なる場合であっても、ハンドオーバ処理の途中でＲＬＦが検出された際の再接続処理後の通信復旧時間を短縮することができる。
【００４５】
以上に述べた本実施形態の特徴は、以下のように表現されていてもよい。
【００４６】
本実施形態の第１の特徴は、無線基地局ｅＮＢ＃１（第１無線基地局）配下のセル＃１（第１セル）において通信中の移動局ＵＥが、無線基地局ｅＮＢ＃２（第２無線基地局）配下のセル＃２（第２セル）へのハンドオーバ処理の途中でＲＬＦ（無線リンク障害）を検出した場合に、無線基地局ｅＮＢ＃３（第３無線基地局）に対して、セル＃１のＰＣＩ（識別情報）を含む「ＲＲＣ  Ｃｏｎｎｅｃｔｉｏｎ  Ｒｅ-ｅｓｔａｂｌｉｓｈｍｅｎｔ  Ｒｅｑｕｅｓｔ（再接続要求信号）」を送信する工程と、無線基地局ｅＮＢ＃３が、「ＲＲＣ  Ｃｏｎｎｅｃｔｉｏｎ  Ｒｅ-ｅｓｔａｂｌｉｓｈｍｅｎｔ  Ｒｅｑｕｅｓｔ」に含まれるＰＣＩによって特定されるセル＃１を管理する無線基地局ｅＮＢ＃１に対して、無線基地局ｅＮＢ＃３で使用されているＲＲＣプロトコル機能（所定プロトコル機能）のリリース番号（例えば、Ｒｅｌｅａｓｅ  ８/Ｒｅｌｅａｓｅ  ９/Ｒｅｌｅａｓｅ  １０）を含むコンテキスト情報転送要求信号（例えば、「ＵＥ  Ｃｏｎｔｅｘｔ  Ｉｎｑｕｉｒｙ  Ｒｅｑｕｅｓｔ」）を送信する工程と、無線基地局ｅＮＢ＃１が、無線基地局ｅＮＢ＃３に対して、受信したコンテキスト情報転送要求信号に含まれるリソース番号（例えば、Ｒｅｌｅａｓｅ  ８/Ｒｅｌｅａｓｅ  ９/Ｒｅｌｅａｓｅ  １０）のＲＲＣプロトコル機能によって生成された移動局ＵＥに係るコンテキスト情報（例えば、「ＵＥ  Ｃｏｎｔｅｘｔ」や「ＲＲＣ  Ｃｏｎｔｅｘｔ」）を転送する工程とを有することを要旨とする。
【００４７】
本実施形態の第２の特徴は、無線基地局ｅＮＢ＃１配下のセル＃１において通信中の移動局ＵＥが、無線基地局ｅＮＢ＃２配下のセル＃２へのハンドオーバ処理の途中でＲＬＦを検出した場合に、無線基地局ｅＮＢ＃３に対して「ＲＲＣ  Ｃｏｎｎｅｃｔｉｏｎ  Ｒｅ-ｅｓｔａｂｌｉｓｈｍｅｎｔ  Ｒｅｑｕｅｓｔ」を送信するように構成されている移動通信システムにおいて、無線基地局ｅＮＢ＃３として動作可能な無線基地局ｅＮＢであって、移動局ＵＥから、セル＃１のＰＣＩを含む「ＲＲＣ  Ｃｏｎｎｅｃｔｉｏｎ  Ｒｅ-ｅｓｔａｂｌｉｓｈｍｅｎｔ  Ｒｅｑｕｅｓｔ」を受信するように構成されている受信部２２と、「ＲＲＣ  Ｃｏｎｎｅｃｔｉｏｎ  Ｒｅ-ｅｓｔａｂｌｉｓｈｍｅｎｔ  Ｒｅｑｕｅｓｔ」に応じて、「ＲＲＣ  Ｃｏｎｎｅｃｔｉｏｎ  Ｒｅ-ｅｓｔａｂｌｉｓｈｍｅｎｔ  Ｒｅｑｕｅｓｔ」に含まれるＰＣＩによって特定されるセル＃１を管理する無線基地局ｅＮＢ＃１に対して、無線基地局ｅＮＢで使用されているＲＲＣプロトコル機能のリリース番号（例えば、Ｒｅｌｅａｓｅ  ８/Ｒｅｌｅａｓｅ  ９/Ｒｅｌｅａｓｅ  １０）を含み、移動局ＵＥに係るコンテキスト情報（例えば、「ＵＥ  Ｃｏｎｔｅｘｔ」や「ＲＲＣ  Ｃｏｎｔｅｘｔ」）の転送を要求するコンテキスト情報転送要求信号（例えば、「ＵＥ  Ｃｏｎｔｅｘｔ  Ｉｎｑｕｉｒｙ  Ｒｅｑｕｅｓｔ」）を送信するように構成されている送信部２３と具備することを要旨とする。
【００４８】
本実施形態の第３の特徴は、無線基地局ｅＮＢ＃１配下のセル＃１において通信中の移動局ＵＥが、無線基地局ｅＮＢ＃２配下のセル＃２へのハンドオーバ処理の途中でＲＬＦを検出した場合に、無線基地局ｅＮＢ＃３に対して「ＲＲＣ  Ｃｏｎｎｅｃｔｉｏｎ  Ｒｅ-ｅｓｔａｂｌｉｓｈｍｅｎｔ  Ｒｅｑｕｅｓｔ」を送信するように構成されている移動通信システムにおいて、無線基地局ｅＮＢ＃１として動作可能な無線基地局ｅＮＢであって、無線基地局ｅＮＢ＃３から、無線基地局ｅＮＢ＃３で使用されているＲＲＣプロトコル機能のリリース番号（例えば、Ｒｅｌｅａｓｅ  ８/Ｒｅｌｅａｓｅ  ９/Ｒｅｌｅａｓｅ  １０）を含むコンテキスト情報転送要求信号（例えば、「ＵＥ  Ｃｏｎｔｅｘｔ  Ｉｎｑｕｉｒｙ  Ｒｅｑｕｅｓｔ」）を受信するように構成されている受信部１２と、無線基地局ｅＮＢ＃３に対して、コンテキスト情報転送要求信号（例えば、「ＵＥ  Ｃｏｎｔｅｘｔ  Ｉｎｑｕｉｒｙ  Ｒｅｑｕｅｓｔ」）に含まれるリソース番号（例えば、Ｒｅｌｅａｓｅ  ８/Ｒｅｌｅａｓｅ  ９/Ｒｅｌｅａｓｅ  １０）のＲＲＣプロトコル機能によって生成された移動局ＵＥに係るコンテキスト情報（例えば、「ＵＥ  Ｃｏｎｔｅｘｔ」や「ＲＲＣ  Ｃｏｎｔｅｘｔ」）を転送するように構成されている送信部１３とを具備することを要旨とする。
【００４９】
なお、上述の移動局ＵＥ及び無線基地局ｅＮＢの動作は、ハードウェアによって実施されてもよいし、プロセッサによって実行されるソフトウェアモジュールによって実施されてもよいし、両者の組み合わせによって実施されてもよい。
【００５０】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００５１】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥ及び無線基地局ｅＮＢ内に設けられていてもよい。また、かかる記憶媒体及びプロセッサは、ディスクリートコンポーネントとして移動局ＵＥ及び無線基地局ｅＮＢ内に設けられていてもよい。
【００５２】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。従って、本明細書の記載は、例示説明を目的とするものであり、本発明に対して何ら制限的な意味を有するものではない。
【符号の説明】
【００５３】
ＵＥ…移動局
ｅＮＢ…無線基地局
１１、２１…管理部
１２、２２…受信部
１３、２３…送信部
【図１】
2011166372.tif 000003
【図２】
2011166372.tif 000004
【図３】
2011166372.tif 000005
【図４】
2011166372.tif 000006
【図５】
2011166372.tif 000007